(57)【要約】【課題】車載用機器をダッシュパネル上に取り付ける場合などに使用される取付スタンドにおいて、少ない部品点数で設置後も機器取付角度の調整と固定ができるようにする。【解決手段】機器取付プレート１１と設置台座１２とを連結ねじ１４と固定金具１３により組み付ける。設置台座１２の球面受け部１２ａにストッパ突起１２ｃを形成し、固定金具１３にストッパ穴１３ａを形成して回り止め手段を構成することで、機器設置後の角度調整および固定を容易に行うことができる。【選択図】  図１
2004197849.tif 000002
【特許請求の範囲】
【請求項１】
下部に球面部を有する機器取付プレートと、上部に前記球面部に摺動可能に嵌合する球面受け部を有する設置台座と、前記球面受け部に形成された角度調整穴と前記球面部に形成された通し穴とを貫通する連結ねじと、前記通し穴を貫通した前記連結ねじに螺合して前記機器取付プレートと前記設置台座とを固定する固定金具と、前記連結ねじを回した時に前記固定金具が連れ回りするのを防ぐための回り止め手段とを備えた機器取付スタンド。
【請求項２】
前記回り止め手段が、前記球面受け部に前記固定金具側へ向けて形成された突起と、前記固定金具に形成されて前記突起と係合する穴または溝とからなることを特徴とする請求項１記載の機器取付スタンド。
【請求項３】
前記回り止め手段が、前記球面受け部に形成された穴または溝と、前記固定金具に形成されて前記穴または溝と係合する突起とからなることを特徴とする請求項１記載の機器取付スタンド。
【発明の詳細な説明】
【０００１】
【発明の属する技術分野】
本発明は、各種の機器を角度調整自在に取り付けるための機器取付スタンド、特に振動を受け易い場所に取り付けられる機器取付スタンドに関する。
【０００２】
【従来の技術】
従来、振動を受け易い場所に取り付けられる機器として、車両に取り付けられる自動料金収受車載装置やディスプレイ装置等がある。これらの車載機器は、通常は車両のダッシュボード上に取り付けられるため、取り付けた後に運転者が見やすい角度に位置調整する必要があり、さらにその位置を固定して車両の振動が加わってもその位置がずれないようにする必要がある。このような車載機器用の取付スタンドは、一般には広い調整角度が得られるように、車両用インサイドミラーに使用されているような球関節継手構造が採用されている（例えば、特許文献１参照）。
【０００３】
図９は従来のこの種の機器取付スタンドの構成を示している。図９において、機器を取り付けるための機器取付プレート１と、車両のダッシュボード上に固定される設置台座２とは、連結金具３に固定されたシャフト４により連結される。
設置台座２は、上面に凸球面部２ａを有し、その中心部には円形の角度調整穴２ｂが形成されている。この機器取付スタンドの組み立ては、まず連結金具３をシャフト４を上向きにして、凸球面部２ａの裏側からシャフト４を角度調整穴２ｂ内に挿入し、シャフト４に球面座金５を挿入した後、その上から角度固定リング６を挿入し、さらにシャフト４の先端部に機器取付プレート１のガイド穴１ａに挿入して組み立てられる。角度固定リング６は、外周面に操作つまみ６ａを有し、内周面には雌ねじ部６ｂが形成され、この雌ねじ部６ｂが、機器取付プレート１下面のフランジ部１ｂの外周面に形成された雄ねじ部６ｃと噛み合っている。
【０００４】
設置台座２を車両のダッシュボード上に固定し、機器取付プレート１に機器を取り付け、機器の角度を調整した後、角度固定リング６を回転させて下方に移動させると、機器取付プレート１と設置台座２との間の距離が縮まるので、球面座金５を介して角度固定リング６と連結金具３とで設置台座２の凸球面部２ａを強く挟み込み、その角度が固定される。
【０００５】
【特許文献１】
特開平１０−２９９９８５号公報
【０００６】
【発明が解決しようとする課題】
しかしながら、上記従来の機器取付スタンドは、角度を調整し、固定するための角度固定リングが設置台座や機器取付プレートと別体で必要になり、部品点数が多いという問題があった。
【０００７】
本発明は、上記従来の問題を解決するためになされたもので、部品点数を削減することのできる機器取付スタンドを提供することを目的とする。
【０００８】
【課題を解決するための手段】
上記問題を解決するために、本発明の機器取付スタンドは、下部に球面部を有する機器取付プレートと、上部に前記球面部に摺動可能に嵌合する球面受け部を有する設置台座と、前記球面受け部に形成された角度調整穴と前記球面部に形成された通し穴とを貫通する連結ねじと、前記通し穴を貫通した前記連結ねじに螺合して前記機器取付プレートと前記設置台座とを固定する固定金具と、前記連結ねじを回した時に前記固定金具が連れ回りするのを防ぐための回り止め手段とを備えたものである。この構成により、機器取付プレートと設置台座と連結ねじと固定金具の合計４つの部品だけで機器取付スタンドを構成することができ、部品点数を大幅に減らすことができ、機器設置後も取付角度の調整を容易に行うことができる。
【０００９】
また、本発明の機器取付スタンドは、前記回り止め手段が、前記球面受け部に前記固定金具側へ向けて形成された突起と、前記固定金具に形成されて前記突起と係合する穴または溝とからなることを特徴とする。この構成により、簡単な構造で回り止め手段を構成することができる。
【００１０】
また、本発明の機器取付スタンドは、前記回り止め手段が、前記球面受け部に形成された穴または溝と、前記固定金具に形成されて前記穴または溝と係合する突起とからなることを特徴とする。この構成により、簡単な構造で回り止め手段を構成することができる。
【００１１】
【発明の実施の形態】
以下、本発明の実施の形態について、図面を用いて説明する。図１は本発明の実施の形態における取付スタンドの構成を示している。図１において、樹脂製の機器取付プレート１１は、取付対象の機器の形状および大きさに応じて、その形状および大きさが設定され、ここでは円形である。機器取付プレート１１は、その下部に円形のハブ１１ａが形成され、その下部表面には凹状の球面部１１ｂが形成され、その中心部には通し穴１１ｃが形成されている。ハブ１１ａの上側には凹部１１ｄが形成されている。板金のプレス加工により形成される設置台座１２は、その上面に機器取付プレート１１の球面部１１ｂに摺動可能に嵌合する凸状の球面受け部１２ａが形成され、その中心部には角度調整穴１２ｂが形成され、さらに球面受け部１２ａの下側にストッパ突起１２ｃが形成されている。図２は設置台座１２の底面を示しており、ストッパ突起１２ｃが下側に突出している。このストッパ突起１２ｃに係合するのは、図３に示す固定金具１３のストッパ穴（または溝）１３ａであり、両者により回り止め手段が構成されている。図３は固定金具１３の底面を示している。固定金具１３は、設置台座１２の球面受け部１２ａの下表面と同じ球面形状を有し、中心部に形成されたボス１３ｂには、ねじ穴１３ｃが形成されている。このねじ穴１３ｃには、連結ねじ１４が、設置台座１２の角度調整穴１２ｂおよび機器取付プレート１１の通し穴１１を貫通して螺合している。
【００１２】
以上のように構成された取付スタンドについて、図１を用いてその動作を説明する。機器取付プレート１１には、周辺に４箇所程度のねじ挿通穴を備え、このねじ挿通穴を通して車載機器を取り付けるための例えばＬ字形のブラケットが固定され、このブラケットに機器取付プレート１１に固定される。機器取付プレート１１に固定されたブラケットの連結ねじ１４に対向する部分にはドライバ挿通穴が形成されて、このドライバ挿通穴を通して、ドライバにより連結ねじ１４のねじ頭を回せるようになっている。したがって、車載機器を取り付けた状態で設置台座１２を車両のダッシュボード上の所定位置にねじや接着材により固定した後、連結ねじ１４を緩めて車載機器の角度を調整する。設置台座１２の球面受け部１２ａには角度調整穴１２ｂが形成されているので、連結ねじ１４はこの角度調整穴１２ｂの範囲内で移動でき、機器取付プレート１１に取り付けた車載機器の角度調整が可能になる。角度調整後は、連結ねじ１４を締め付けることにより、固定金具１３が引き付けられて球面受け部１２ａを球面部１１ｂに圧接させ、その状態が固定される。固定金具１３のストッパ穴１３ａは、球面受け部１２ａのストッパ突起１２ｃに係合しているので、連結ねじ１４を回した時の連れまわりを防止することができる。
【００１３】
このように、本実施の形態によれば、下部に球面部１１ｂを有する機器取付プレート１１と、上部に球面部１１ｂに摺動可能に嵌合する球面受け部１２ａを有する設置台座１２と、機器取付プレート１１の球面部１１ｂに形成された通し穴１１ｃと設置台座１２の球面受け部１２ａに形成された角度調整穴１２ｂとを貫通する連結ねじ１４と、設置台座１２の裏面で連結ねじ１４に螺合して連結ねじ１４の締め付けにより機器取付プレート１１と設置台座１２とを固定する固定金具１３と、連結ねじ１４を回した時に固定金具１３が連れ回りするのを防ぐための回り止め手段であるストッパ突起１２ｃとストッパ穴１３ａとを備えているので、少ない部品点数で、取付スタンドを構成することができ、機器設置後の角度調整を容易に行うことができる。
【００１４】
なお、本実施の形態では、設置台座２のストッパ突起１２ｃをエンボス加工により形成したが、図４に示すように、切り起こし加工により下側に向けたストッパ突起１２ｄを形成するようにしてもよい。
【００１５】
また、本実施の形態では、回り止め手段を、設置台座１２側のストッパ突起１２ｃと固定金具１３側のストッパ穴（または溝）１３ａとで構成したが、例えば図５に示すように、固定金具１３側にストッパ突起１３ｄを設け、図６に示すように、設置台座１２側にストッパ溝１２ｅを設け、または図７に示すように、設置台座１２側にストッパ穴１２ｆを設けてもよい。
【００１６】
また、本実施の形態では、機器取付プレート１１の球面部１１ａを凹状とし、設置台座１２の球面受け部１２ａを凸状としたが、例えば図８に示すように、機器取付プレート１１の球面部１１ｂを凸状とし、設置台座１２の球面受け部１２ａを凹状としてもよい。
【００１７】
また、本実施の形態では、機器取付プレート１１を樹脂で形成し、設置台座１２を板金で形成したが、機器取付プレート１１を板金で形成し、設置台座１２を樹脂で形成してもよく、また機器取付プレート１１と設置台座１２の両方とも樹脂または板金で形成してもよい。
【００１８】
また、本実施の形態では、機器取付スタンドを車載機器用の機器取付スタンドとして説明したが、車載機器としては、見やすい角度に設置することが望まれるディスプレイ装置や、指向性を持つアンテナ装置またはそのアンテナ装置を含む送受信装置などを用いた場合に、取付角度を変えることができるために特に効果があり、また他の用途における機器取付スタンドとして構成してもよい。
【００１９】
【発明の効果】
以上説明したように、本発明の機器取付スタンドは、設置台座の裏面で連結ねじに螺合して連結ねじの締め付けにより機器取付プレートと設置台座とを固定する固定金具を備えているので、部品点数を大幅に減らすことができる。
【図面の簡単な説明】
【図１】本発明の実施の形態における機器取付スタンドの断面図
【図２】本発明の実施の形態における設置台座の底面図
【図３】本発明の実施の形態における固定金具の底面図
【図４】本発明の実施の形態における別の設置台座の断面図
【図５】本発明の実施の形態における別の固定金具の断面図
【図６】（ａ）本発明の実施の形態におけるさらに別の設置台座の断面図
（ｂ）本発明の実施の形態におけるさらに別の設置台座の底面図
【図７】（ａ）本発明の実施の形態におけるさらに別の設置台座の断面図
（ｂ）本発明の実施の形態におけるさらに別の設置台座の底面図
【図８】本発明の実施の形態におけるさらに別の機器取付スタンドの断面図
【図９】従来例における機器取付スタンドの断面図
【符号の説明】
１１  機器取付プレート
１１ａ  ハブ
１１ｂ  球面部
１１ｃ  通し穴
１１ｄ  凹部
１２  設置台座
１２ａ  球面受け部
１２ｂ  角度調整穴
１２ｃ  ストッパ突起
１２ｄ  ストッパ突起
１２ｅ  ストッパ溝
１２ｆ  ストッパ穴
１３  固定金具
１３ａ  ストッパ穴
１３ｂ  ボス
１３ｃ  ねじ穴
１３ｄ  ストッパ突起
１４  連結ねじ
【図１】
2004197849.tif 000003
【図２】
2004197849.tif 000004
【図３】
2004197849.tif 000005
【図４】
2004197849.tif 000006
【図５】
2004197849.tif 000007
【図６】
2004197849.tif 000008
【図７】
2004197849.tif 000009
【図８】
2004197849.tif 000010
【図９】
2004197849.tif 000011